(57)【要約】【課題】簡易な方法で吸収体の捩れを防止し得る使い捨て着用物品および着用物品の製造方法を提供する。【解決手段】伸張状態の弾性体Ｆを２枚の不織布Ｗ１，Ｗ２の間に挟み込んで胴回り部となる積層体Ｗを得る工程と、前記積層体Ｗにおける腹部または背部となる部位の一部をくり抜いて開口Ｍｈを形成する工程と、液透過性を有するトップシートと液不透過性を有するバックシートとの間に、液保持性を持つコアを挟んだ吸収性本体を生成する工程と、バックシートにより前記開口Ｍｈを閉塞するように前記吸収性本体を前記積層体Ｗに重ねて複合体を得る工程と、前記開口Ｍｈを形成する工程において、前記不織布Ｗ１，Ｗ２と共に前記弾性体Ｆを切断することを特徴とする。【選択図】図３
2009153757.tif 000002
【特許請求の範囲】
【請求項１】
伸張状態の弾性体を２枚の不織布の間に挟み込んで胴回り部となる積層体を得る工程と、
前記積層体における腹部または背部となる部位の一部をくり抜いて開口を形成する工程と、
液透過性を有するトップシートと液不透過性を有するバックシートとの間に、液保持性を持つコアを挟んだ吸収性本体を生成する工程と、
バックシートにより前記開口を閉塞するように前記吸収性本体を前記積層体に重ねて複合体を得る工程と、
前記開口を形成する工程において、前記不織布と共に前記弾性体を切断することを特徴とする着用物品の製造方法。
【請求項２】
伸張状態の弾性体を２枚の不織布の間に挟み込んだ胴回り部と、
液透過性を有するトップシートと液不透過性を有するバックシートとの間に、液保持性を持つコアを挟んだ吸収性本体とを備え、
前記胴回り部における腹部又は背部となる部位の一部をくり抜いて開口が形成され、
前記開口を形成することにより前記不織布と共に弾性体が切断され、
前記バックシートにより前記開口を閉塞するように前記吸収性本体が前記胴回り部に重ねられた使い捨て着用物品。
【請求項３】
請求項２において、前記吸収性本体の前記バックシートの外面側に図柄が設けられており、当該図柄が前記胴回り部の前記開口から視認可能である使い捨て着用物品。
【発明の詳細な説明】
【技術分野】
【０００１】
本発明は使い捨て着用物品および着用物品の製造方法に関する。
【背景技術】
【０００２】
従来より、オムツ等の使い捨て着用物品に用いられる積層シートにおいて、特にパンツ型オムツ等のウエスト部分には、該オムツのフィット性を向上させるために、２枚の不織布の間に糸状または帯状の弾性部材が用いられている。
前記弾性部材が、積層シートと吸収体との接着部分まで延びていると前記吸収体が捩れるので、弾性部材の一部を加圧切断する方法が提案されている（特許文献１参照）。
【０００３】
一方、前記積層シートの外面側に文字や図形等の図柄を印刷して外観を向上させる提案がなされている（特許文献２参照）。
【特許文献１】特開２０００−０２６０１５（要約書）
【特許文献２】特開２００２−０００６５７（要約書）
【発明の開示】
【０００４】
前記特許文献１では、加熱したロールカッタにより、積層シートの弾性部材を加圧切断しているだけで、図柄を設けることについては何ら配慮されていない。
【０００５】
一方、積層シートは不織布で形成されるので印刷が難しく、そのため、特許文献２では、積層シートの外装面に図柄を印刷するために、外装面側の積層シートに通気性を有し、かつ印刷の可能な特殊なシートを用いる必要がある。
また、積層シートの肌側に図柄を印刷したシートを配置することも考えられるが、この場合、積層シートを通して図柄を見せるようにするため、図柄が明確に視認しにくいという問題がある。
【０００６】
したがって、本発明の主目的は、簡易な方法で吸収体のヨレを防止し得る使い捨て着用物品および着用物品の製造方法を提供することである。
本発明の他の目的は、積層シートに特殊なシート等を用いることなく、図柄が視認可能な使い捨て着用物品を提供することである。
【０００７】
前記主目的を達成するために、本発明のある使い捨て着用物品は、伸張状態の弾性体を２枚の不織布の間に挟み込んだ胴回り部と、液透過性を有するトップシートと液不透過性を有するバックシートとの間に、液保持性を持つコアを挟んだ吸収性本体とを備え、前記胴回り部における腹部又は背部となる部位の一部をくり抜いて開口が形成され、前記開口を形成することにより前記不織布と共に弾性体が切断され、前記バックシートにより前記開口を閉塞するように前記吸収性本体が前記胴回り部に重ねられている。
【０００８】
本発明によれば、胴回り部における腹部又は背部となる部位の一部をくり抜いて開口を形成することより、前記胴回り部の不織布の間に挟み込まれた弾性体が切断されることにより、吸収性本体のヨレを防止することができる。
【０００９】
一方、前記他の目的を達成するために、前記使い捨て着用物品において、前記吸収性本体の前記バックシートの外面側に図柄を設け、当該図柄が前記胴回り部の開口から視認可能であるように設定する。
かかる態様によれば、胴回り部の開口からバックシートの外側面に設けられた図柄が視認可能である。そのため、外装側の不織布として種々の種類のものが利用可能となる。
また、前述のように吸収体本体のヨレが防止されるので、前記図柄がヨレることなく視認し易くなる。
【００１０】
前記「開口」の形状としては、円形、楕円形、長円形、方形、ハート型等種々の形状を用いることができる。
なお、「開口」としては、当該開口が図柄に応じた形状であるのが好ましい。
【００１１】
前記使い捨て着用物品の製造方法としては、伸張状態の弾性体を２枚の不織布の間に挟み込んで胴回り部となる積層体を得る工程と、前記積層体における腹部または背部となる部位の一部をくり抜いて開口を形成する工程と、液透過性を有するトップシートと液不透過性を有するバックシートとの間に、液保持性を持つコアを挟んだ吸収性本体を生成する工程と、バックシートにより前記開口を閉塞するように前記吸収性本体を前記積層体に重ねて複合体を得る工程と、前記開口を形成する工程において、前記不織布と共に前記弾性体を切断することを特徴とする。
【実施例１】
【００１２】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【００１３】
以下、本発明の一実施例が図面にしたがって説明される。
以下の説明では、使い捨て着用物品の一例として、パンツ型オムツを例示して説明する。
【００１４】
オムツ１：
図１に示すように、オムツ１は、着用者の胴にフィットされる胴回り部３と、着用者の股間を覆う吸収性本体２とを備えている。前記胴回り部３は、着用者の腹部３０ａおよび背部３０ｂにフィットする部分が一体に形成された積層シートＷ（図３Ａ）により構成されている。
【００１５】
前記胴回り部３にはオムツ１を着用者にフィットさせるための複数本の糸ゴムからなる弾性体Ｆが設けられている。前記弾性体Ｆとしては、たとえば、糸ゴム、平ゴム、フィルムまたは熱可塑性樹脂を含む材料を採用することができる。
前記胴回り部３には、破線で示す吸収性本体２が配置されている。前記吸収性本体２は、弾性体Ｆの配置されていない前記非接着部分Ｅ２に接着されている。
【００１６】
前記胴回り部３における腹部３０ａおよび背部３０ｂとなる部位の一部は、くり抜かれ、開口Ｍｈが形成されている。前記開口Ｍｈには、該開口Ｍｈを閉塞するように、吸収性本体２が胴回り部３に重ねられており、前記開口Ｍｈから吸収性本体２のグラフィックシート２４に描かれた図柄が視認可能に露出している。
【００１７】
前記吸収性本体２には、体内から排出される体液を吸収することが可能な吸収体Ｃ（図４Ａ）が設けられている。図４Ａおよび図５Ｂに示すように、吸収性本体２は、液透過性を有するトップシート２２と、吸収体（コア）Ｃと、液不透過性を有するバックシート２３とが積層して形成される。トップシート２２の着用者側には、防漏壁２１が設けられている。
【００１８】
前記グラフィックシート２４には、図柄Ｐが印刷されており、バックシート２３側に接着されている。なお、グラフィックシート２４としては、図柄Ｐを印刷するためのインクの定着が容易な材質であればよい。
【００１９】
なお、オムツ１には、ウエスト用弾性体や、レッグギャザ、ウエストギャザ等が設けられているが、説明の簡略化のためにその説明を省略する。
【００２０】
製造方法：
胴回り部３の製造；
図２に示すように、オムツ１の製造装置には、接着剤の塗布装置Ｇ１〜Ｇ３が設けられている。
【００２１】
図２の左下に示すように、不織布からなる第１および第２シートＷ１，Ｗ２の間に弾性体Ｆがシート搬送方向に伸張された状態で介挿され、第１シートＷ１と第２シートＷ２とが互いに接着された積層シート（積層体の一例）Ｗが生成される。
ここで、図３Ａに示すように、前記積層シートＷは、弾性体Ｆが前記第１および第２シートＷ１，Ｗ２に接着された接着部分Ｅ１と、弾性体Ｆが前記両シートに接着されていない非接着部分Ｅ２とを交互に有する。
【００２２】
その後、図２の開口カッタ４１により、積層シートＷに開口Ｍｈが穿孔される。
ここで、前述のように、非接着部分Ｅ２では、第１シートＷ１、弾性体Ｆおよび第２シートＷ２が互いに接着されていない。弾性体Ｆは伸張された状態で第１シートＷ１と第２シートＷ２との間に介挿されているので、非接着部分Ｅ２において、開口Ｍｈが穿孔されることにより弾性体Ｆが切断されて接着部分Ｅ１まで縮み、図３Ｂに示すように、非接着部分Ｅ２に弾性体Ｆが実装されていない状態となる。
【００２３】
その後、レッグホールカッタ４２（図２）により大きなレッグホールＬｈが穿孔され胴回り部３が形成されて、図２のように、下流のリピッチターンドラム４３に搬送される。
なお、開口カッタ４１およびレッグホールカッタ４２を設ける代わりに、１つのカッタを用いて開口ＭｈおよびレッグホールＬｈの双方を形成するようにしてもよい。
【００２４】
吸収性本体２の製造；
一方、図２の右側に示すように、吸収体Ｃは吸収体カッタ４０により所定の長さに切断されて下流に搬送される。
前記吸収体Ｃは、グラフィックシート２４が接着されたバックシート２３と、トップシート２２との間に搬送され、これらが互いに接着されて吸収性本体２が形成される。
ここで、図４Ａに示すように、グラフィックシート２４はバックシート２３の両端部に配置される。
【００２５】
リピッチターンドラム４３；
その後、図２に示すように、前記吸収性本体２が、図示しないカッタにより所定の長さに切り分けられた後、リピッチターンドラム４３に搬送されて、積層シートＷの流れ方向に略直交する方向に回転された後、図４Ｂに示すように、積層シートＷの非接着部分Ｅ２に貼着され、複合シート（複合体の一例）Ｗｃが生成される。
なお、前記リピッチターンドラム４３としては、特開昭６３−３１７５７６号公報に記載の回転ドラムを採用することができる。
【００２６】
前述のように、図３Ｂの積層シートＷの非接着部分Ｅ２には、開口Ｍｈが穿孔されることにより、弾性体Ｆが実装されていないので、縮みが生じていない。この非接着部分Ｅ２に吸収性本体２が接着されることにより、弾性体Ｆよる吸収性本体２のヨレが生じない。吸収性本体２は、該吸収性本体２のグラフィックシート２４に印刷された図柄Ｐが積層シートＷの開口Ｍｈに対応する位置に配置される。
【００２７】
その後、前記複合シートＷｃは、図２のセーラ４４に搬送され、図４Ｂの流れ方向Ｘに略直交する幅方向Ｙに、互いの端部同士が重なるように折り畳まれた後、個々のオムツ１に切断され、両端部が互いに接着されてオムツ１が生成される。
【００２８】
なお、前記開口Ｍｈは、腹部３０ａ側のみであってもよいし、背部３０ｂ側のみであってもよい。
また、開口Ｍｈの形状は、弾性体Ｆが切断され得る範囲の形状であればよく、図柄Ｐに対応する形状など種々の形状を採用することができる。
さらに、必ずしもグラフィックシート２４にバックシート２３に貼付する必要はなく、バックシート２３自体に図柄Ｐを印刷するようにしてもよい。
【００２９】
また、前述の実施例１では、胴回り部３として１枚の積層シートＷを用いたが、サイドパネルを構成する一対の積層シートＷの間に吸収体Ｃが架け渡されたオムツであってもよい。
【産業上の利用可能性】
【００３０】
本発明は、たとえば、使い捨て着用物品および着用物品の製造方法に採用することができる。
【図面の簡単な説明】
【００３１】
【図１】本発明の一実施例にかかる使い捨て着用物品を示す概略斜視図である。
【図２】同着用物品の製造装置を示す概略構成図である。
【図３】複合シートの製造方法を示す概略斜視図である。
【図４】図４Ａは吸収性本体の分解斜視図であり、図４Ｂは積層シートに吸収性本体を配置した状態を示す概略斜視図である。
【図５】図５Ａは積層シートの概略断面図、図５Ｂは使い捨て着用物品の概略断面図である。
【符号の説明】
【００３２】
１：オムツ（使い捨て着用物品の一例）
３：胴回り部
３０ａ：背部
３０ｂ：背部
２：吸収性本体
２２：トップシート
２３：バックシート
Ｃ：吸収体
Ｆ：弾性体
Ｍｈ：開口
Ｐ：図柄
Ｗ：積層シート（積層体の一例）
Ｗ１：第１シート（不織布）
Ｗ２：第２シート（不織布）
Ｗｃ：複合シート（複合体の一例）
【図１】
2009153757.tif 000003
【図２】
2009153757.tif 000004
【図３】
2009153757.tif 000005
【図４】
2009153757.tif 000006
【図５】
2009153757.tif 000007